(57)【要約】【課題】片手で簡単に長さ調節して装着することができる腕章を提供する。【解決手段】伝達情報の表示部を表面側に有するシート状の本体部材１０と本体部材に着脱可能に取り付けられるバンド部材５０とを備えた腕章１であって、本体部材は左右側部にバンド挿通孔２２，２３を有し、バンド部材は、伸縮性を有するバンド本体部５１と、バンド本体部の一端側に設けられた係合部材５３，５４と、バンド本体部の他端側に縫着され、バンド挿通孔の他方に挿通されて、バンド本体部による締め付け具合を調節してこれに着脱可能に固定される係止部６０とを有し、係合部材によりバンド本体部の一端側をバンド挿通孔の一方に固定し係止部をバンド挿通孔の他方に挿通することにより本体部材とバンド部材とを環状形状とすることができ、環状形状となった腕章を腕に通す際に、係止部が挿通されたバンド挿通孔の他方に対して抜け止めとなる。【選択図】図１
2017122789.tif 000002
【特許請求の範囲】
【請求項１】
伝達情報を表示するための表示部を表面側に有するシート状の本体部材と、前記本体部材に着脱可能に取り付けられる略帯状のバンド部材とを備えた腕章であって、
前記本体部材は、
左右側部に、厚さ方向に貫通するバンド挿通孔を有し、
前記バンド部材は、
伸縮性を有するバンド本体部と、
前記バンド本体部の一端側に設けられており、前記バンド本体部の一端側を前記バンド挿通孔の一方の孔に着脱可能に固定する係合部材と、
前記バンド本体部の他端側に取り付けられており、前記バンド挿通孔の他方の孔に挿通されて、前記バンド本体部による締め付け具合を調節してこれに着脱可能に固定される係止部と、を有し、
前記係合部材により前記バンド本体部の一端側を前記バンド挿通孔の一方の孔に固定し、前記係止部を前記バンド挿通孔の他方の孔に挿通することにより前記本体部材と前記バンド部材とを環状形状とすることができ、
環状形状となった前記腕章を腕に通す際に、前記係止部が、挿通された前記バンド挿通孔の他方の孔に対して抜け止めとなるように構成した、ことを特徴とする腕章。
【請求項２】
前記係止部は、挿通される前記バンド挿通孔よりも大きく、
前記係止部を前記バンド挿通孔に挿通する際には、前記係止部又は／及び前記バンド挿通孔を一時的に変形させる、ことを特徴とする請求項１に記載の腕章。
【請求項３】
前記バンド本体部は、面ファスナーのループテープであり、前記係止部は、面ファスナーのフックテープである、ことを特徴とする請求項１又は２に記載の腕章。
【請求項４】
前記本体部材の裏面には、滑り止め加工が施されている、ことを特徴とする請求項１乃至３のいずれか１つに記載の腕章。
【請求項５】
前記バンド本体部の裏面には、滑り止め加工が施されている、ことを特徴とする請求項１乃至４のいずれか１つに記載の腕章。
【請求項６】
前記本体部材は、上方又は／及び下方に突出する突部を有する、ことを特徴とする請求項１乃至５のいずれか１つに記載の腕章。
【請求項７】
前記本体部材は、少なくとも２枚のメッシュ生地を使用したメッシュ本体部を有する、ことを特徴とする請求項１乃至５のいずれか１つに記載の腕章。
【請求項８】
前記本体部材は、メッシュ生地とクッション材とを使用したメッシュ本体部を有する、ことを特徴とする請求項１乃至６のいずれか１つに記載の腕章。
【発明の詳細な説明】
【技術分野】
【０００１】
本発明は、工事、警備、交通整理、イベント等において使用される腕章に関する。
【背景技術】
【０００２】
従来、作業やイベント等を行う際には、その関係者であること、さらには、その場での役職や役割や立場等を周囲に周知させるための目印として、腕に着けることができる腕章が用いられている。腕章は、スポーツにおいては、例えば、サッカーのキャプテンマークなどのように、伸縮性のあるジャージ状バンドが使用される場合もあるが、一般的には、役職等を表示するための部材と、それを腕に装着するための部材とから構成されているものが多い。
【０００３】
例えば、特許文献１の特開２０１０−１９９２８号「腕章」には、左右両端の重合連接面部に互いに係合するフックテープとループテープを配備し、係合部材が配備されて環状に連結して腕に巻止め自在であり、その内周面には外面に滑り止めが施されるバンド通しが、左右に所定の間隔を存して配備される腕章本体と、前記バンド通しに支えられ、腕章本体の内周面に配備される締付け中バンドとから構成される腕章が提案されている。
【先行技術文献】
【特許文献】
【０００４】
【特許文献１】特開２０１０−１９９２８号公報
【発明の概要】
【発明が解決しようとする課題】
【０００５】
しかし、特許文献１に記載の「腕章」では、締付け中バンドに編みゴムバンド材を使用し、その長さを調節可能な構成としているが、使用者が予めその長さを調節しても実際に腕に着けてみると長さが合わないことがあり、何度か調節を繰り返さなければならない場合があった。また、腕を締付け中バンド内に通してから調節しようとした場合には、締付け中バンドの先端側（ループテープ）をしっかり摘んでいないと連結環から外れてしまい、一旦腕を抜いて連結環に繋いでから装着をやり直す必要があった。
【０００６】
本発明はかかる問題点を解決するために創案されたものである。すなわち、本発明の目的は、使用者が片手で簡単に装着することができる腕章を提供することにある。
【課題を解決するための手段】
【０００７】
本発明の腕章は、伝達情報を表示するための表示部を表面側に有するシート状の本体部材（１０，１０α，１０β）と、前記本体部材に着脱可能に取り付けられる略帯状のバンド部材（５０）と、を備えた腕章（１，２，３）であって、前記本体部材は、左右側部に、厚さ方向に貫通するバンド挿通孔（２２，２３）を有し、前記バンド部材は、伸縮性を有するバンド本体部（５１）と、前記バンド本体部の一端側に設けられており、前記バンド本体部の一端側を前記バンド挿通孔の一方の孔（２２又は２３）に着脱可能に固定する係合部材（５３，５４）と、前記バンド本体部の他端側に取り付けられており、前記バンド挿通孔の他方の孔（２２又は２３）に挿通されて、前記バンド本体部による締め付け具合を調節してこれに着脱可能に固定される係止部（６０）と、を有し、前記係合部材（５３，５４）により前記バンド本体部の一端側を前記バンド挿通孔の一方の孔（２２又は２３）に固定し、前記係止部（６０）を前記バンド挿通孔の他方の孔（２２又は２３）に挿通することにより前記本体部材と前記バンド部材とを環状形状とすることができ、環状形状となった前記腕章を腕に通す際に、前記係止部（６０）が、挿通された前記バンド挿通孔の他方の孔（２２又は２３）に対して抜け止めとなるように構成した、ことを特徴とする。
【０００８】
前記係止部（６０）は、挿通される前記バンド挿通孔（２２又は２３）よりも大きく、前記係止部を前記バンド挿通孔に挿通する際には、前記係止部又は／及び前記バンド挿通孔を一時的に変形させるように構成してもよい。
前記バンド本体部（５１）は、面ファスナーのループテープとし、前記係止部（６０）は、面ファスナーのフックテープとすることも好ましい。
前記本体部材（１０，１０α，１０β）の裏面に、滑り止め加工を施してもよい。
前記バンド本体部（５１）の裏面に、滑り止め加工を施してもよい。
前記本体部材（１０，１０α）は、上方又は／及び下方に突出する突部（２１，２４ａ，２４ｂ，２４ｃ）を有するようにすることも好ましい。
前記本体部材（１０β）は、少なくとも２枚のメッシュ生地を使用したメッシュ本体部（３０）を有していてもよい。
前記本体部材（１０β）は、メッシュ生地とクッション材とを使用したメッシュ本体部（３０）を有していてもよい。
なお、これらの手段について、実施例で示した構成要素との対応（符号）を明示しているが、明示した構成に限定されず、発明の要旨を逸脱しない範囲で種々変更が可能である。
【発明の効果】
【０００９】
本発明の腕章によれば、環状となった腕章に腕を差し込む際に、バンド挿通孔に対して係止部が抜け止めとなるので、片手で簡単に所望の位置まで移動させることができる。また、移動させた後には、片手で係止部を引っ張ることにより、簡単にバンド本体部による締め付け具合を調節してバンド本体部に固定することが可能である。
【図面の簡単な説明】
【００１０】
【図１】実施例１の腕章を示し、（ａ）は正面図、（ｂ）は背面図である
【図２】実施例１の腕章を示し、（ａ）は平面図、（ｂ）は左側面図、（ｃ）は右側面図である。
【図３】実施例１の腕章の本体部材を示し、（ａ）は正面図、（ｂ）は背面図である。
【図４】実施例１の腕章のバンド部材を示し、（ａ）は正面図、（ｂ）は背面図、（ｃ）は（ａ）の一部拡大図である。
【図５】実施例１の腕章の本体部材にハンドクリップを取り付けた状態を示す一部拡大図である。
【図６】実施例１の腕章の装着方法を説明する説明図である。
【図７】実施例１の腕章の係止部の抜け止め機能を説明するための概略図である。
【図８】実施例１の腕章のバンド部材の変形例を示し、（ａ）は正面図、（ｂ）は背面図、（ｃ）は（ａ）の一部拡大図である。
【図９】変形例であるバンド部材を使用した腕章の装着方法と係止部の抜け止め機能を説明する説明図である。
【図１０】実施例２の腕章の本体部材を示す正面図である。
【図１１】実施例２の腕章のバンド本体部とその変形例の背面図である。
【図１２】実施例２の腕章の係止部の正面図である。
【図１３】実施例２の腕章の係止部の変形例の正面図である。
【図１４】実施例３の腕章の本体部材を示し、（ａ）は正面図、（ｂ）は背面図、（ｃ）は表シート状部材のメッシュ生地の一例を示す図、（ｄ）は裏シート状部材のメッシュ生地の一例を示す図である。
【図１５】実施例３の腕章のクッション材の構成を模式的に示す概略断面図である。
【発明を実施するための形態】
【実施例１】
【００１１】
以下、本発明の実施の形態を、図面を参照して説明する。ここでは、まず、腕章１を左腕に装着する場合を想定して説明する。
図１及び図２は実施例１の腕章１を示す図であり、図１（ａ）は正面図、図１（ｂ）は背面図、図２（ａ）は平面図、図２（ｂ）は左側面図、図２（ｃ）は右側面図である。これらは腕章１を構成する本体部材１０にバンド部材５０（５０Ａ）の一端側を取り付けた状態を示す図であり、底面図については平面図と対称に表れるので省略している。図３及び図４は、腕章１を構成する部材を示す図であり、図３（ａ）は本体部材１０の正面図、図３（ｂ）は本体部材１０の背面図、図４（ａ）はバンド部材５０Ａの正面図、図４（ｂ）はバンド部材５０Ａの背面図、図４（ｃ）は図４（ａ）の一部拡大図である。図５は本体部材１０にハンドクリップ８０を取り付けた状態を示す一部拡大図である。なお、図１においては、縫着線６４（詳細は後述）を垂直破線で表わしている。また、図３（ａ）においては、表示部１５（詳細は後述）を二点鎖線で、中心線Ｌを一点鎖線で表わし、一例として、表示部１５に文字及び図形を印刷した状態の本体部材１０を示している。また、図４（ａ）では、正面視におけるループ面Ｒとフック面Ｆを示すためにハッチング表示をしている。以下の説明において、腕章１を腕に取り付けた際に外側となる面を表面、腕側となる面を裏面又は背面といい、腕章１を表面側からみた状態を基本として左右上下の各方向を示す。
【００１２】
図１〜図４に示すように、腕章１は、現場の関係者であることなど周囲に知らせるための文字、図形、記号、模様、色彩、符号などによる情報（以下、適宜、伝達情報という）を表示するための表示部１５を有する本体部材１０と、この本体部材１０に着脱可能に取り付けられる長さ違いの２種類のバンド部材５０Ａ，５０Ｂとからなる。使用者は、本体部材１０を腕に装着する際に２種類のバンド部材５０Ａ，５０Ｂから適宜１つを選択して、本体部材１０に取り付けて使用することができる。なお、バンド部材５０Ｂについては図示を省略している。
【００１３】
まず、腕章１の本体部材１０について説明する。腕章１の本体部材１０は合成樹脂素材からなり、図３などに示すように、中心を通り上下方向に延びる直線Ｌを中心線として線対称に形成された略矩形状の板状部材である。本体部材１０の角部にはアールが形成されており、四辺（下辺１１，右側辺１２，左側辺１３，上辺１４）は滑らかな曲線で結ばれている。なお、本体部材１０の表面側の中央部は、伝達情報を印刷又は記入するなどして表示する表示部１５（図３(ａ)参照）となっている。つまり、表示部１５には必ずしも伝達情報が予め表示された状態ではなくてもよく、本体部材１０自体の色の違いにより伝達情報を伝えたり、表示部１５に記入したりする構成としてもよい。
【００１４】
図３に示すように、本体部材１０の下辺１１は、両端部１１ｂから中央部１１ａにかけて徐々に下方に向かうように形成された略Ｖ字状の曲線であり、その接線の傾斜は両端部１１ｂから中央部１１ａに向かうほど緩くなるように形成されている。また、本体部材１０の上辺１４は、下方に張り出す２つの略円弧状の曲線部１４１，１４２からなる略逆Ｖ字状（波形状）の曲線であり、両端部１４ｂから中央部１４ａにかけて一旦下方に向かった後に徐々に上方に向かうように形成されている。つまり、曲線部１４１，１４２の接線の傾斜は、両端部１４ｂから中央部１４ａにかけて緩やかになり一旦水平になった後に徐々に急になるように形成されている。このように、本体部材１０には、その下部には下方に突出する略逆三角形状の下突部２１が、その上部中央には上方に突出する略三角形状の上突部２４ａが、その上部両端には上方に小さく突出する略三角形状の右上突部２４ｂ及び左上突部２４ｃが形成されている。なお、本体部材１０は、伝達情報を視認可能な大きさで表示できる表示部１５を有しつつ、作業の邪魔とならないようにコンパクトであることが好ましく、本実施例では、一例として、縦の最長部分の長さが７５ｍｍ、横の最長部分の長さが１４５ｍｍとなるように形成している。
【００１５】
腕章１の本体部材１０には、その右側部に右側辺１２と略平行に形成された縦長の貫通孔（長孔）である右バンド挿通孔２２が設けられており、着脱可能にバンド部材５０（５０Ａ又は５０Ｂ）の一端側が挿通されて固定される。また、その左側部にも左側辺１３と略平行に形成された縦長の貫通孔（長孔）である左バンド挿通孔２３が設けられており、詳細は後述するが、バンド部材５０の他端側が挿通される。バンド挿通孔２２，２３（右バンド挿通孔２２及び左バンド挿通孔２３）は、横幅及び縦幅がそれぞれ帯状のバンド部材５０Ａ，５０Ｂ（以下、適宜、バンド部材５０という）の厚さ及び縦幅と略同じであり、バンド挿通孔２２，２３内にバンド部材５０を挿通でき、かつ、この挿通したバンド部材５０を容易に移動させることができるように、若干のゆとり（本実施例では、１〜２ｍｍ）を設けた大きさとしている。よって、後述する係止部６０を引っ張ることにより、バンド挿通孔２３（右腕につける場合はバンド挿通孔２２）に対するバンド部材５０の長さ方向の位置を変化させて、その締め付け具合を容易に調節することができる。
【００１６】
本体部材１０の上突部２４ａには、安全ピン付きのクリップであるハンドクリップ８０を取り付けるための取付孔２５が形成されており、図５に示すように、使用者の好みに応じて、ハンドクリップ８０を着脱可能に取り付けることができる。取付孔２５は横に延びる直線上の切開線とその両端の丸孔とからなり、ハンドクリップ８０の取り付けを容易にするとともに、破損する虞を軽減するような構成となっている。バンド部材５０により締め付けて装着することが好ましくない場合には、バンド部材５０を緩めにするとともに、このハンドクリップ８０を着衣に取り付けて抜け落ちやズレを防ぐことができる。なお、ハンドクリップ８０のみを取り付けた本体部材１０は、胸等に付ける名札として使用することもできる。
【００１７】
腕章１の本体部材１０は３層構造（図示せず）となっており、合成樹脂素材からなる３枚の半硬質のシート状部材１０１，１０２，１０３を圧着して製造したものである。本実施例においては、例えば、略同成分からなる塩化ビニル樹脂製のシート状部材１０１，１０２，１０３を、超音波ウェルダー装置を使用して強固に溶着処理するとともに、所定の形状（図３参照）となるように溶断処理しており、その厚さは、例えば、略１．０〜２．０ｍｍであり、本実施例のものは略１．２ｍｍである。
【００１８】
図３(ａ)に示す表シート状部材１０１は、着色剤を練り込むことにより種々の所望の色に彩色され、つや消し加工がなされたものであり、その表面側の表示部１５には伝達情報を印刷又は記入できるようになっている。図３(ｂ)に示す裏シート状部材１０３は、裏面側に細かな凹凸１０ａを形成した滑り止め機能を有する難滑性素材からなる。本実施例では、この凹凸１０ａが布の凹凸を利用して形成してあり、着衣の布地の凹凸に類似した形状とすることにより摩擦係数を高めて、より効果的な滑り止め機能を有するものとなっている。
【００１９】
表シート状部材１０１と裏シート状部材１０３は、その間にこれらを補強するための芯材として塩化ビニル樹脂製の中シート状部材１０２（図３（ｂ）参照）を挟み込んで溶着・溶断処理を行っている。このような構成とすることにより、装着時にバンド部材５０が伸張した状態となっても、表示部１５に皴が寄って伝達情報が視認できなくなってしまったり、本体部材１０が破けて壊れてしまったりする虞がほとんどない。また、本体部材５０は半硬質で適度な可撓性を有するので、装着時には装着部分（腕や着衣）の形状に合うように変形する。なお、本体部材１０については、中シート状部材１０２を設ける代わりに、表シート状部材１０１又は／及び裏シート状部材１０３を厚くして本体部材１０を２層構造としてもよい。また、本体部材１０を、表シート状部材１０１及び裏シート状部材１０３の機能を有するように加工処理して作成された１枚のシート状部材としてもよい。
【００２０】
次に、腕章１のバンド部材５０について説明する。
本体部材１０には、装着する際の腕回りの太さ（以下、単に腕回りという）に合わせたものを取り付けて使用することができるように、長さの異なる２種類のバンド部材５０（５０Ａと５０Ｂ）が用意されており、バンド部材５０Ａはバンド本体部５１Ａの長さが短く、バンド部材５０Ｂはバンド本体部５１Ｂの長さが長い。なお、バンド部材５０Ａ、５０Ｂは、バンド本体部５１Ａ，５１Ｂ（以下、適宜、バンド本体部５１という）の長さのみが異なるので、バンド部材５０Ｂ及びバンド本体部５１Ｂの図示は省略し、同様の構成については同様の符号で示す等して重複する説明を省略する。
【００２１】
腕章１のバンド部材５０Ａは化学繊維素材からなり、図４などに示すように、伸縮性を有するゴム等の弾性素材からなる略帯状のバンド本体部５１Ａと、これに着脱可能に係着される略矩形状の係止部６０を有する。バンド本体部５１は面ファスナーのループテープであり、表面側全面がループ面（パイル地）Ｒになっている（裏面側はループ面ではない）。また、その一端側（図４（ａ）における左側、以下、適宜、基端側という）には互いに係合する第１係合部材５３及び第２係合部材５４が設けられている。本実施例においては、第１係合部材５３及び第２係合部材５４に、合成樹脂製の一対のホックボタン５３，５４を用いており、それぞれの係合部５３ａ，５４ａ（図４（ｂ）参照）が裏面側となるように取り付けられている。係止部６０は面ファスナーのフックテープからなり、表面側全面がフック面Ｆであり（裏面側はフック面ではない）、バンド本体部５１の他端側（図４（ａ）における右側、以下、適宜、先端側という）に縫着されている。
【００２２】
なお、ホックボタン５３とホックボタン５４は、本実施例においては樹脂製である。これらは、それぞれ、上型の凸部を有する係合部５３ａと上型キャップとをバンド本体部５１を挟むように取り付けたものと、下型の凹部を有する係合部５４ａと下型キャップとをバンド本体部５１を挟むように取り付けたものであり、上型の凸部が下型の凹部に着脱自在に嵌るように構成された部材である。また、ここで第１係合部材５３と第２係合部材５４と表記したのは、その説明上区別するためであり、第１係合部５３と第２係合部５４とを逆に配置することも可能である。以下、実施例２等も同様である。
【００２３】
本実施例においては、腕回りが２５０ｍｍ〜３００ｍｍの場合の使用に適したものである、バンド本体部５１Ａの長さが２００ｍｍのバンド部材５０Ａと、腕回りが３００ｍｍ〜４５０ｍｍの場合の使用に適したものである、バンド本体部５１Ａの長さが２７０ｍｍのバンド部材５０Ｂとがあり、適宜取り替えて使用することができる。よって、腕の太さだけでなく、着衣の厚さ等にも合わせたものを適宜選択して使用することができ、例えば厚手の防寒着を着用した場合などにも対応できる。また、バンド本体部５１は、全体が伸縮性に優れたポリエステル・ナイロン・ポリウレタン複合材であり、装着時に腕の動きに合わせて伸縮するので、締め付け感を軽減することができる。さらに、バンド本体部５１の幅は、腕に食い込むことのないような大きさであり、上述したように、本体部材１０の右バンド挿通孔２２及び左バンド挿通孔２３の縦幅と略同じ大きさ（縦幅より１〜２ｍｍ小さい）である。本実施例では、一例として、２５ｍｍのものを使用している。
【００２４】
係止部６０は、図４（ｃ）に示すように、等脚台形を９０度右回転させたような形状をしており、その先端６１（図４（ｃ）における右側端部）の幅はバンド本体部５１Ａの幅と略同じ長さであり、その後端６２（図４（ｃ）における左側端部）の幅はバンド本体部５１Ａの幅よりも大きい。そのため、係止部６０の上部はバンド本体部５１Ａから上方にはみ出す上方突出部６３ａとなり、係止部６０の下部はバンド本体部５１Ａから下方にはみ出す下方突出部６３ｂとなっている。本実施例においては、後端６２の幅は、バンド本体部５１の幅よりも略１５ｍｍ大きくなるように形成されている。また、係止部６０の全長（図４における横方向の長さ）は略４０ｍｍとなっている。
【００２５】
係止部６０の後端側部分６０ａは、その表面（フック面Ｆ）側が、バンド本体部５１の先端部分５１ａ（本実施例では、先端側から長さ８〜１４ｍｍの部分）の裏面（ループ面Ｒではない面）側に接するように、各中心線（長手方向に延びる中心線）が略同一直線となるように後方から重ねられて、その重なり部分（先端部分５１ａ）の中央部において両部材５１Ａ，６０が短手方向（図４における縦方向）に縫着されている。なお、この縫着線６４（破線）の長さは、バンド本体部５１Ａの幅よりも長い。バンド部材５０Ａをこのような形状・構造とすることにより、腕に腕章１を装着する際に、左バンド挿通孔２３（又はバンド挿通孔２２）に挿通した係止部６０が抜け止めとして機能するが、その詳細については後述する。
【００２６】
ここで、使用者が右手で左腕に腕章１を装着する場合について、その装着方法を説明する。図６は、腕章１の装着方法を説明する概略説明図であり、（ａ）〜（ｃ）は、腕章１を腕に通す前の準備として本体部材１０にバンド部材１０を取り付ける様子を示し、（ｄ）〜（ｅ）は、実際に腕章１に腕を通して装着する際の様子を示す。具体的には、図６（ａ）は本体部材１０の右バンド挿通孔２２にバンド部材５０の基端側を挿入する様子、（ｂ）は本体部材１０の右バンド挿通孔２２にバンド部材５０の基端側を固定する様子、（ｃ）は本体部材１０の左バンド挿通孔２３に係止部６０を挿入する様子、（ｄ）は本体部材１０の左バンド挿通孔２３に係止部６０を挿通し、環状となった腕章１を腕に装着するために環を大きくした様子、（ｅ）は環状部分に腕を挿入した後に係止部６０を引っ張って固定する様子を示す。なお、図６（ｅ）においては、腕の図示を省略している。
【００２７】
まず、腕章１の本体部材１０にバンド部材５０を取り付ける方法について説明する。使用者は、２種類のバンド部材５０のうち、体格や着衣に合う長さのものを選択する。そして、選択したバンド部材５０のバンド本体部５１の基端側を、そのループ面Ｒが表面側となるようにして本体部材１０に固定する。具体的には、図６（ａ）に示すように、バンド本体部５１の基端側を、右バンド挿通孔２２の表面側から挿入し、図６（ｂ）に示すように、第１係合部材５３のみが裏面側にくるように右バンド挿通孔２２内を挿通させて、第１係合部材５３と第２係合部材５４とを対面させて係合し、上述の図１に示す状態とする。なお、本体部材１０は半硬質部材であるので、第１係合部材５３を挿通させる場合には、右バンド挿通孔２２の右側辺部分と左側辺部分をそれぞれ後方と前方に押すことにより、孔を菱形状（右側面視）となるように広げることができるので、バンド本体部５１の基端側を容易に取り付け可能である。
【００２８】
その後、図６（ｃ）に示すように、バンド本体部５１を捻じれていない状態として、係止部６０及びバンド本体部５１の先端側を左バンド挿通孔２３に挿通する。具体的には、係止部６０の先端６１を、右バンド挿通孔２２の裏面側から挿入させた後に、例えば、係止部６０の上方突出部６３ａ及び下方突出部６３ｂを内方（それぞれ下方及び上方）に折り曲げて、左バンド挿通孔２３の縦孔の長さよりも幅が小さくなるように変形させるとともに、左バンド挿通孔２３を、上述した右バンド挿通孔２２と略同様にして広げるなどして挿通させる。なお、折り曲げた上方突出部６３ａ及び下方突出部６３ｂは、左バンド挿通孔２３に挿通した後には、素材の性質により元の形状（略等脚台形形状）に戻る。このようにして、腕章１は、バンド部材５０は本体部材１０に取り付けられ、図６（ｄ）に示すように、腕章１が環状形状となる。なお、右腕に装着する場合には、バンド部材５０を１８０度回転させて、左腕に装着する場合と左右が逆となるようにして本体部材１０に取り付ければよい。具体的には、図６（ａ）に示す段階においては、バンド本体部５１の基端側を本体部材１０の左バンド挿通孔２３に取り付けるなどする。
【００２９】
次に、腕章１を腕に装着する方法について説明する。使用者は、図６（ｄ）に示すように腕章１の環を大きくして、右手で本体部材１０を持ち、その内側に腕を差し入れる。その際、本体部材１０を着衣から浮かせるようにしてバンド部材５０側で滑らせるようにして、上腕の所望の高さとなるまで移動させる。そして、本体部材１０を所望の高さまで移動させたら、本体部材１０の向きが外側を向くように調整しつつ、図６（ｅ）に示すように右手で係止部６０（フックテープ）を引っ張って所望の締め具合に調節して、これをバンド本体部５１（ループテープ）に係着させて固定する。係着する際にバンド本体部５１の先端部分５１ａ（縫い代部分など）を内側に隠すので、装着時のデザイン性がよい。このようにして、使用者は腕章１を片手で簡単に腕に装着することができる。
【００３０】
係止部６０を固定する際に、バンド本体部５１を締め付ける前の状態であれば、係止部６０を環に沿うように略接線方向へ引っ張ることにより、腕章１は反時計周り（上方から視認した状態）に回転する。よって、バンド本体部５１を締め付ける際には、本体部材１０の向きを所望の向きよりも使用者の前方側にくるようにしておいて、バンド本体部５１を少し締め付けては本体部材１０の向きを確認して、適宜係止部６０を引っ張って回転させることを繰り返すことにより、本体部材１０の向きを調節して締め付けることができ、本体部材１０を所望の位置となるようにして固定することができる。バンド本体部５１と係止部６０が面ファスナーであるので、締め付け具合を細かく調節することができる。なお、腕章１を右腕に装着する場合には、逆に本体部材１０及び係止部６０を左手で操作すればよい。
【００３１】
ここで、図６（ｄ）に示す状態において、係止部６０の抜け止め機能について図面を参照して説明する。図７は、図６（ｄ）における本体部材１０の左バンド挿通孔２３側を上方から視認した状態を示す部分拡大図であり、係止部６０の抜け止め機能を説明するための概略図である。
図７に示すように、バンド本体部５１が矢印方向に引っ張られても、左バンド挿通孔２３よりも大きい係止部６０が先端側に縫着されているので、バンド部材５０が左バンド挿通孔２３から抜ける虞がほとんどない。具体的には、図４（ｃ）に示すように、係止部６０は上方突出部６３ａ及び下方突出部６３ｂを有し、縫着線６４の位置における係止部６０の幅が左バンド挿通孔２３の縦幅より大きいため、これらが引っ掛かることにより抜けないようになっている。また、上述のように縫着線６４の位置を係止部６０の後端６２よりも内方として、例えば、後端側部分６０ａ１の横方向の長さが５〜１０ｍｍとなるようにすることにより、ベルト本体部５１を引っ張った際に、図７に示すように、係止部６０の縫着線６４よりも後端側部分６０ａ１が、左バンド挿通孔２３から本体部材１０の中央側（図７における右側）に逸れて引っ掛かる。
【００３２】
このように、腕章１の係止部６０が抜け止めとなるので、腕章１の内側に腕を通す際には本体部材５０のみを持って移動させても環状を保つことができる。また、着衣の厚さが厚い場合などでもバンド本体部５１が適宜延びるので簡単に移動させることが可能である。また、係止部６０は本体部材１０の外方にくるので、移動させる際に邪魔にならない。なお、腕章１を取り外す際には、係止部６０をバンド本体部５１から剥離して装着時と逆に操作することにより、容易に腕から取り外すことができる。
【００３３】
ここで、バンド部材５０Ａの変形例であるバンド部材５０Ａ´について説明する。図８は、バンド部材５０Ａ´を示し、（ａ）は正面図、（ｂ）は背面図、（ｃ）は（ａ）の一部拡大図である。図９は、バンド部材５０Ａ´を取り付けた腕章１に腕を通して装着する際の様子を説明する概略説明図であり、（ａ）は本体部材１０の左バンド挿通孔２３に係止部６０を挿通し、環状となった腕章１を腕に装着するために環を大きくした様子、（ｂ）は環状部分に腕を挿入した後に係止部６０を引っ張って固定する様子を示し、（ｃ）は係止部６０の抜け止め機能を説明するための概略図である。なお、以下の説明においては、実施例１と異なる部分について説明し、実施例１の腕章１と基本的に同様又は略同様の構成については、同様又は略同様の符号や名称を付し、重複する説明は省略する。
【００３４】
バンド部材５０Ａ´は、図８に示すように、係止部６０を取り付ける面のみがバンド部材５０Ａと異なる。具体的には、係止部６０の裏面（フック面Ｆではない面）側が、バンド本体部５１の表面（ループ面Ｒ）側に接するように、後方から重ねられて縫着されている。そのため、図９に示すように、本体部分１０とバンド部材５０Ａ´で形成される環を大きくした際に、即ち、ベルト本体部５１を引っ張った際に、図９（ｃ）に示すように、係止部６０の縫着線６４よりも後端側部分６０ａ１とベルト本体部５１との間に、本体部材１０の左側辺側部分１３が挟み込まれるようになって引っ掛かる。係止部６０が本体部材１０の表面に沿うようになり、フック面Ｆが外方を向いた状態となるので、腕や着衣に触れる虞が少ない（図９（ａ）参照）。
【００３５】
本発明の一実施例である腕章１は、使用者は片手で簡単に装着でき、かつ、装着時に片手で所望の締め付け具合となるように長さ調節することができるものである。上述のように、腕章１を腕に装着する際には、係止部６０が抜け止め機能を有するので、腕章１のどこを持って移動させても環状に保ったままで移動させることができる。また、本体部材１０を持ちこれを浮かせて、バンド部材５０側で腕又は着衣の表面を滑らせるようにして移動させることにより、本体部材１０の裏面側の滑り止めが引っ掛かることなく所望の高さまで容易に移動させることができる。また、上述したように係止部６２を摘んで操作することなどにより、本体部材１０を所望の向きに調整しつつ、バンド部材５０を所望の締め具合として装着することができる。
【００３６】
腕章１の装着後においては、本体部材１０は裏面側に難滑性素材を使用しているので、ズレにくい。また、バンド本体部５１全体が伸縮性を有するので長さの調節範囲が広く、体格や着衣の厚さに合わせて、バンド部材５０の締め具合を調節することができる。腕にフィットするので着け心地もよく、突起物等に引っ掛ける虞も少ない。
【００３７】
腕章１の本体部材１０には、下突出部２１及び上突出部２４等が設けられており、従来のものよりも洗練されたデザインとなっている。下突出部２１及び上突出部２４の上方及び下方へ湾曲した形状により本体部材１０の腕への食い込みを防ぐことができる。また、下突出部２１及び上突出部２４の突出した形状は、腕章１の上下左右方向へのズレを防ぐ効果も有する。さらに、上突出部２４ａ、右上突出部２４ｂ及び左上突出部２４ｃは、着衣が表示部１５に被さり、伝達情報が周囲から視認できなくなる虞を軽減する役割を有する。また、伝達情報を表示する十分な表示部１５を確保しつつ、本体部材１０の大きさを最小限とすることで腕回り全体を覆わず、装着した際のゴワツキ感や蒸れを軽減できる。
【００３８】
本発明の腕章１は部材が少ない簡単な構成であり、本体部材１０とバンド部材５０とが着脱可能であるため、それぞれを交換することもできて経済的である。防寒具を着用し着衣の厚さが厚い場合には、バンド部材５０のみを長いものに（バンド部材５０Ａをバンド部材５０Ｂに）取り換えることにより、対応することができる。また、使用により面ファスナーのループ面が損傷、劣化し、吸着力が落ちた場合には、バンド部材５０のみを新しいものと交換すればよい。また、例えば、使用する現場により立場（役職）が変わる場合には、それぞれの現場に対応した本体部材１０を複数用意し、これに同じバンド部材５０を適宜付け替えて使用することができる。
【００３９】
なお、腕章１の各部材の形状、大きさ、構成等は上述した実施の形態に限定されず、抜け止めを有し片手で簡単に装着できる構成であれば、本発明の要旨を逸脱しない範囲で種々変更できることは勿論である。本実施例では本体部材１０に合成樹脂素材の部材を使用したが、これに限らず、シート状又は略シート状の可撓性のある部材であればよく、合成皮革、本革、布、ゴム等の他の素材からなる部材を使用してもよい。また、本実施例においては、長さの異なる２種類のバンド部材５０Ａ，５０Ｂを備えたものとしているが、これに限らず、バンド部材５０を少なくとも１つ備えていればよい。さらに、第１係合部材５３及び第２係合部材５４は、ホックボタン５３，５４に限らず、ベルト本体部５１の一端側を本体部材１０に固定することができればよく、例えば、ボタンとボタンホールとの組み合わせ、鉤ホックと鉤受けとの組み合わせなどでもよく、また、本体部材１０側とベルト本体部５１側のそれぞれに第１係合部材５３と第２係合部材５４を設け、これらを係合させることにより固定できる構成としてもよい。
【実施例２】
【００４０】
次に、本発明の実施例２の腕章２について説明する。図１０は実施例２の腕章２の本体部材１０αの正面図である。図１１は実施例２の腕章２のバンド部材５０Ａ２とその変形例５０Ａ３，５０Ａ４の背面図である。図１２は実施例２の腕章２の係止部６０２の正面図である。また、図１３は係止部６０２の変形例である係止部６０３の正面図である。図１０に示すように、実施例２の腕章２は、主に本体部分１０の構成が、実施例１の腕章１と異なっている。また、図１１に示すように、バンド部材５０Ａ２の裏面側には滑り止め加工が施されている。以下の説明においては、実施例１と異なる部分について説明し、実施例１の腕章１と基本的に同様又は略同様の構成については、同様又は略同様の符号や名称を付し、重複する説明は省略する。
【００４１】
図１０に示すように、実施例２の腕章２には、表示部１５（図３（ａ）参照）の代わりに本体部材１０αの表面側に紙などのシート状の表示部材を交換可能に差し入れることができるポケット部１６（ポケット状の表示部）を備えている。ポケット部１６は矩形状の透明な合成樹脂製のシートであり、その周縁が本体部材１０αの表面に圧着されている。また、本体部材１０αには、ポケット部１６の右側辺よりも内側の位置に略平行に、表示部材を差し込むためのスリット１７が形成されている。スリット１７は、長さや向き以外については取付孔２５と略同様の構成となっている。なお、実施例２の腕章２の本体部材１０αの背面図については、スリット１７の有無以外は実施例１の本体部材１０と略同様であるので、省略している。
【００４２】
表示部材は、図示しないが、伝達情報を記載又は印刷等により表示した紙等のシート状の部材、例えば、名刺などであり、本実施例においては通常のサイズの名刺（５５ｍｍ×９１ｍｍ）が差し込めるような大きさ（６０ｍｍ×１００ｍｍ）としているため、本体部材１０αは実施例１の本体部材１０よりも大きい形状（本実施例においては、９５ｍｍ×１５０ｍｍ）となっている。なお、本体部材１０αについては、ポケット部１６を設けるので、補強のための中シート状部材１０２を挟まない構成としてもよい。
【００４３】
図１１（ａ）は実施例２の腕章２のバンド部材５０Ａ２の背面図、（ｂ），（ｃ）はその変形例であるバンド部材５０Ａ３，本体部５０Ａ４の背面図、（ｄ）は（ａ）のＸ−Ｘ線拡大断面図、（ｅ）は（ｂ）のＹ−Ｙ線拡大断面図、（ｆ）は（ｃ）のＺ−Ｚ線拡大断面図である。なお、図１１（ｄ）〜（ｆ）においては、便宜上、切断面のみを示している。また、図１１に示すように、バンド部材５０Ａ２，５０Ａ３，５０Ａ４の裏面側には滑り止め加工が施されている。
【００４４】
実施例２の腕章２のバンド部材５０Ａ２のバンド本体部５１Ａ２には、図１１（ａ）に示すように、バンド本体部５１Ａ２の長手方向に延びる中心線上にライン状の滑り止めＧ１が接着されている。この滑り止めＧ１は、合成ゴムや天然ゴムなどの滑り止めの効果を有する素材からなる。本実施例ではシリコンゴムが使用されており、バンド本体部５１Ａ２の伸縮に合わせて、滑り止めＧ１も伸縮する。滑り止めＧ１の断面は、図１１（ｄ）に示すように略半円形状であり、環の内方に突出する形状であるので、効果的にズレを防ぐことができる。なお、滑り止めＧ１は、バンド本体部５１Ａ２の全体（端から端まで）に設けたが、これに限らず、中央部分などの一部に設けてもよいし、破線のように設けるなどしてもよい。つまり、滑り止めＧ１は、滑り止め機能を有するものであればよく、適宜、様々な形状として設けることができる。
【００４５】
例えば、滑り止めＧ１の変形例としては、図１１（ｂ），（ｅ）に示す、バンド本体部５１Ａ３の幅方向に延びる２本のライン状の滑り止めＧ２や、図１１（ｃ），（ｆ）に示す、複数の略半円形状の滑り止めＧ３などでもよい。これらは、バンド本体部５１Ａ３，５１Ａ４の基端側に設けられている。また、図１１（ｆ）に示す滑り止めＧ３のように、下側を直角に切り欠いたような形状とすれば、腕を通す際には腕章２を移動させやすくして、装着した後はズレにくくなる。
【００４６】
実施例２の腕章２の係止部６０２は、図１２に示すように、その先端側の中央部に略半円形状に熱処理を施したツマミ部６１ａを有している。このツマミ部６１ａは、熱処理によりフックを潰した状態であり、使用者は腕章２を外す際には、例えば、親指の先端を差し入れて摘むことで、容易にバンド本体部５１から剥離することができる。なお、ツマミ部６１ａの上下側はフックが潰されていないのでベルト本体部１に係止されるので、捲れることがなく邪魔にならない。また、係止部６０２は、上方突出部６３ａ２及び下方突出部６３ｂ２についても、着衣の表面にフックが引っ掛からないように、熱処理によりフックが潰してある。なお、実施例２の腕章２のバンド部材５０は、係止部６０２以外は実施例１と略同様であるので、省略している。
【００４７】
実施例２の腕章２の係止部６０２の変形例である係止部６０３は、図１３に示すように略矩形状であり、四角形の右上部分を斜めに切欠いたような形状となっている。係止部６０３は、バンド本体部５１の幅よりも上方及び下方に突出している略三角形状の上方突出部６３ａ３と略矩形状の下方突出部６３ｂ３を有している。上方突出部６３ａ３及び下方突出部６３ｂ３についても、係止部６０２と同様、着衣の表面にフックが引っ掛からないようにフックを潰す熱処理がなされている。略矩形状の下方突出部６３ｂ３については、その表面及び裏面に滑り止め加工Ｓが施されており、この加工は、例えば、合成樹脂又はゴムによる被膜などによるものである。使用者は腕章２を外す際には、滑り止め加工Ｓがなされた下方突出部６３ｂ３の先端側を摘むことにより、係止部６０３を容易にバンド本体部５１から剥離することができる。また、この下方突出部６３ｂ３は、腕章２を腕に装着している間は着衣の表面側に接する滑り止めとなり、腕章２のズレを防ぐことができる。
【００４８】
本発明の一実施例である腕章２は、実施例１の腕章１と同様の効果を有するとともに、ポケット部１６に表示部材を入れて、適宜伝達情報を交換することが可能である。また、係止部６０２，６０３にツマミ部６１ａや下方突出部６３ｂ３を設けることにより、容易に腕章２を取り外すことなどができる。さらに、バンド本体部５０２，５０３，５０４に、滑り止め加工Ｇ１，Ｇ２，Ｇ３を施すことにより、装着時の腕章２の上下左右方向へのズレを防ぐことができる。
【００４９】
なお、腕章２の各部材の形状、大きさ、構成等は上述した実施の形態に限定されず、抜け止めを有し片手で簡単に装着できる構成であれば、本発明の要旨を逸脱しない範囲で種々変更できることは、実施例１の場合と同様である。
【実施例３】
【００５０】
次に、本発明の実施例３の腕章３について説明する。図１４は実施例３の腕章３の本体部材１０βを示し、（ａ）は正面図、（ｂ）は背面図、（ｃ）は表メッシュ生地３０１の一例を示す図、（ｄ）は裏メッシュ生地３０３の一例を示す図である。図１５は、クッション材３０２の構成を模式的に示す概略断面図である。図１４に示すように、実施例３の腕章３は、本体部材１０の構成が、実施例１の腕章１や実施例２の腕章２と異なっている。以下の説明においては、実施例１などと異なる本体部材１０βについてのみ説明し、他の構成についての説明は省略する。また、実施例１の腕章１などと基本的に同様又は略同様の構成については、同様又は略同様の符号や名称を付し、重複する説明は省略する。なお、図１４（ａ）、（ｂ）における破線はミシンなどにより縫着処理した縫い目を示す。
【００５１】
本体部材１０βは、布又は／及び編織物などの繊維素材からなり、図１４に示すように、略矩形状の厚みのあるシート状の織編物からなるメッシュ本体部３０と、その周縁をくるむパイピング部３１〜３４とからなる。メッシュ本体部３０は、３層構造になっており、２枚のシート状のメッシュ生地（表メッシュ生地３０１と裏メッシュ生地３０３）と、その間に挟まれるシート状のクッション材３０２（図示せず）とからなる。なお、これらはそれぞれ対向する面が接着処理され、一体化した状態となっている。
【００５２】
表面側の表メッシュ生地３０１は、化学繊維製の孔の小さい（目の細かい）織編物であり、その表面側は伝達情報を印刷等して表示できる表示部３５となっている。これに対して、裏面側の裏メッシュ生地３０３は、表メッシュ生地３０１よりも孔の大きい（目の粗い）織編物であり、熱や湿気を逃がしやすいものとなっている。本実施例においては、表メッシュ生地３０１には、図１４（ｃ）に示すように、１ｍｍ２以下の孔が複数空いたものを使用している。また、裏メッシュ生地３０３には、図１４（ｄ）に示すように、グランド部Ｍ及びメッシュホール部Ｈがハニカム構造を構成している。グランド部Ｍは、ポリエステルなどの化学繊維を編んで作られたものであり、その横断面は略円形で厚みを有するものである。なお、裏メッシュ生地３０３の厚みは、好ましくは１〜８ｍｍ（より好ましくは２〜５ｍｍ）であり、メッシュホール部Ｈの大きさは、好ましくは１〜１００ｍｍ２（より好ましくは５〜６０ｍｍ２）である。
【００５３】
クッション材３０２は、図１５に示すように、厚さ方向に延びる複数の細い繊維Ｋからなる密度の低い部材であり、ポリエステルなどの合成樹脂素材からなるものである。クッション材３０２を２枚のメッシュ生地（表メッシュ生地３０１と裏メッシュ生地３０３）の間に挟むことにより、通気性を向上させることができる。
【００５４】
パイピング部３１，３２，３３，３４は、４本の縁取り用の布テープであるパイピング部材で、メッシュ本体部３０の下側、右側、左側、上側の縁を、それぞれ縁取り処理したものである。これらは、メッシュ本体部３０の縁がほつれるのを防ぐとともに、メッシュ本体部３０が変形しないように補強する役目を担うものである。また、パイピング部３２，３３，３４には、その中央部に、それぞれ右バンド挿通孔２２、左バンド挿通孔２３、取付孔２５がボタンホールを作る要領で形成されている。なお、図示は省略するが、本体部材１０βのパイピング部３１〜３４の裏面側の一部又は全部（ボタンホールが形成されている箇所を除く）に、実施例２で述べたようなシリコンゴムによる滑り止め加工（図１１参照）を施しても良い。
【００５５】
本発明の一実施例である腕章３は、実施例１の腕章１及び実施例２の腕章と同様の構成については同様の効果を有するとともに、通気性がよく、蒸れを防ぐことができるという効果を有する。特に、メッシュ本体部３０を２層構造として、表メッシュ生地３０１には、印刷しやすい目の細かいものを採用し、裏メッシュ生地３０３には、大きなメッシュホール部Ｈを有するものを採用することにより、通気性がよくすることができ熱がこもりにくいので、蒸れを防ぐことができる。また、これらの間にクッション材３０２を挟み込むことにより、隙間ができるので、より通気性を向上させることができる。さらに、裏メッシュ生地３０３はメッシュホール部Ｈとグランド部Ｍとにより凹凸が形成されているので、装着時の腕章３のズレも防ぐこともできる。
【００５６】
なお、腕章３の本体部材１０βの各部材の形状、大きさ、構成等は上述した実施の形態に限定されず、蒸れを防ぐことができる構成であれば、本発明の要旨を逸脱しない範囲で種々変更できることは、実施例１などの場合と同様である。例えば、本実施例においては、メッシュ本体部３０を構成するメッシュ生地３０１，３０３やクッション材３０２は、上述した厚さ、素材、構造等に限らず、適宜変更できることは勿論である。また、本実施例においては、メッシュ本体部３０を３層構造としているが、２層以上で構成され、熱や湿気を逃しやすい構造となっていればよい。
【産業上の利用可能性】
【００５７】
本発明の腕章は、柱状部材に装着するものであれば、様々な分野に応用して利用することができる。
【符号の説明】
【００５８】
１    腕章（実施例１）
２    腕章（実施例２）
３    腕章（実施例３）
１０，１０α，１０β  本体部材
１０ａ    凹凸
１５    表示部
１６    ポケット部
１７    スリット
２１    下突部
２２    右バンド挿通孔
２３    左バンド挿通孔
２４ａ  上突部
２５    取付孔
３０    メッシュ本体部
３１〜３４  パイピング部
５０    バンド部材（５０Ａ，５０Ｂ）
５１    バンド本体部（５１Ａ，５１Ｂ）
５３    第１係合部材
５４    第２係合部材
６０    係止部
６０ａ  ツマミ部
６３ａ  上方突出部
６３ｂ  下方突出部
６４    装着線
Ｒ    ループ面
Ｆ    フック面
【図１】
2017122789.tif 000003
【図２】
2017122789.tif 000004
【図３】
2017122789.tif 000005
【図４】
2017122789.tif 000006
【図５】
2017122789.tif 000007
【図６】
2017122789.tif 000008
【図７】
2017122789.tif 000009
【図８】
2017122789.tif 000010
【図９】
2017122789.tif 000011
【図１０】
2017122789.tif 000012
【図１１】
2017122789.tif 000013
【図１２】
2017122789.tif 000014
【図１３】
2017122789.tif 000015
【図１４】
2017122789.tif 000016
【図１５】
2017122789.tif 000017